(57)【特許請求の範囲】
【請求項１】
貫通する流体流路を設けた継手本体における該流体流路の一端側に、挿入したチューブ外面にチャックの係止爪を係止させて該チューブを保持するチューブ保持機構を収容した管継手において、
上記チャックは、上記係止爪の両側に該係止爪を押し広げるための傾斜押圧部を有し、
上記チャック内に挿入したチューブの周囲への押入により上記傾斜押圧部を押圧して該チューブに対する該チャックの係止爪の係止を解除して該チューブを抜脱可能にするリリースブッシュは、筒部の端部に軸線方向に延出する凸部を有していて、該凸部のみを継手本体から外部に突出させた状態で該継手本体内に配設され、上記凸部は、上記チューブに外嵌させた押圧工具によりチャックの係止解除位置まで継手本体内に押入可能であるが、手指では直接操作できないものとし、
上記凸部に係止してリリースブッシュをチャックの係止解除位置まで押入可能なリング状の押圧工具を別設し、
上記押圧工具は、円環状に接合できる一対の半円環状のリング片で形成されていて、上記リリースブッシュを押し込むとき以外は上記継手本体から分離され、上記リリースブッシュを押し込むときに上記一対のリング片をチューブを囲むようにリング状に配置し、チューブに沿って軸線方向へ押すことにより、上記一対のリング片の端面で上記リリースブッシュの凸部を押圧するように形成されている、
ことを特徴とする管継手。
【発明の詳細な説明】
【技術分野】
【０００１】
本発明は、空気圧回路等において、各種流体圧機器と配管チューブとの接続に用いる管継手に関するものである。
【背景技術】
【０００２】
従来から、空気圧回路等において各種流体圧機器と配管チューブとの接続に用いる管継手として、中心を貫通する流体流路を設けた継手本体における該流体流路の一端側に、挿入するチューブ外面にチャックの係止爪を係止させて該チューブを保持するチューブ保持機構を収容すると共に、上記チャック内への押入によりチューブに対する該チャックの係止を解除して該チューブを抜脱可能にするリリースブッシュを収容したものは、具体的に例示するまでもなく公知である。【０００３】
この種の管継手においては、配管接続の変更あるいは誤配管の修正のために、管継手に装着したチューブを取り外すことがあり、上記リリースブッシュはそのチューブの取り外しのために有効なものであるが、ユーザーによっては、一旦、流体圧機器に配管チューブを適正に接続したのちに配管接続の変更を行うことは稀であり、逆に、上記リリースブッシュが操作し易い位置に設けられているため、適正なチューブが接続されている管継手の近辺で他の管継手に対するチューブの着脱その他の作業を行っているときに、誤って該適正なチューブが接続された管継手のリリースブッシュを押圧し、そのチューブを外してしまう可能性がある。
【発明の開示】
【発明が解決しようとする課題】
【０００４】
本発明の技術的課題は、上記管継手におけるリリースブッシュが誤って押圧されることがなく、管継手からチューブを取り外すという意志を持って作業者が所定の工具等による操作をしなければ取り外すことができず、しかしながら、その取り外しは簡単な作業で行えるようにした管継手を提供することにある。
【課題を解決するための手段】
【０００５】
上記課題を解決するため、本発明によれば、貫通する流体流路を設けた継手本体における該流体流路の一端側に、挿入したチューブ外面にチャックの係止爪を係止させて該チューブを保持するチューブ保持機構を収容した管継手において、上記チャックは、上記係止爪の両側に該係止爪を押し広げるための傾斜押圧部を有し、上記チャック内に挿入したチューブの周囲への押入により上記傾斜押圧部を押圧して該チューブに対する該チャックの係止爪の係止を解除して該チューブを抜脱可能にするリリースブッシュは、筒部の端部に軸線方向に延出する凸部を有していて、該凸部のみを継手本体から外部に突出させた状態で該継手本体内に配設され、上記凸部は、上記チューブに外嵌させた押圧工具によりチャックの係止解除位置まで継手本体内に押入可能であるが、手指では直接操作できないものとし、上記凸部に係止してリリースブッシュをチャックの係止解除位置まで押入することが可能な筒状の押圧工具を別設し、上記押圧工具は、円環状に接合できる一対の半円環状のリング片で形成されていて、上記リリースブッシュを押し込むとき以外は上記継手本体から分離され、上記リリースブッシュを押し込むときに上記一対のリング片をチューブを囲むようにリング状に配置し、チューブに沿って軸線方向へ押すことにより、上記一対のリング片の端面で上記リリースブッシュの凸部を押圧するように形成されていることを特徴とする管継手が提供される。
【発明の効果】
【０００９】
以上に詳述した本発明の管継手によれば、管継手にリリースブッシュ自体が操作可能なものとして設けられていないので、リリースブッシュが誤って押圧されるようなことはなく、管継手からチューブを取り外すという意志を持って作業者が所定の工具等による操作をしなければ取り外すことができず、しかしながら、その取り外しは簡単な作業で行うことができる。
【図面の簡単な説明】
【００１０】
【図１】本発明に係る管継手の第１実施例の縦断面図である。
【図２】上記第１実施例及び第２実施例において用いるチューブ保持機構を半断面によって示す正面図である。
【図３】同下面図である。
【図４（ａ）】上記第１実施例において用いるリリースブッシュの押圧工具の一例を示す斜視図である。
【図４（ｂ）】上記押圧工具の他の一例を示す斜視図である。
【図５】本発明に係る管継手の第２実施例の縦断面図である。
【図６】同実施例におけるリリースブッシュの側面図である。
【図７】同実施例において用いるリリースブッシュの押圧工具の一例を示す斜視図である。
【図８】本発明の第３実施例において管継手に別設されるリリースブッシュの斜視図である。
【符号の説明】
【００１１】
１      継手本体
２      チューブ保持機構
５      リリースブッシュ
７      押圧工具
１１      流体流路
１３      チューブ挿入域
２１      チャック
２４      係止爪
５１      筒部
５４      凸部
Ｔ      チューブ
【発明を実施するための最良の形態】
【００１２】
図１は、本発明に係る管継手の第１実施例を示し、図２及び図３は同実施例におけるチューブ保持機構の詳細を示し、図４（ａ）及び図４（ｂ）は同実施例におけるリリースブッシュの押圧工具の構造例を示している。
この第１実施例の管継手は、概略的には、管継手の外周部を形成する継手本体１と、該継手本体１に組み込まれた、チューブＴの端部を保持するためのチューブ保持機構２と、継手本体１内に収容された弾性シール部材３と、上記チューブ保持機構２によって保持されたチューブＴを該チューブ保持機構２から離脱させるためのリリースブッシュ５と、継手本体１に挿入したチューブＴの先端を外嵌させることによってその先端部を受ける受け筒６とを備えている。【００１３】
上記継手本体１には、その軸線方向の中心を貫通するように、チューブＴとそれを取り付ける流体圧機器との間において流体を流通させる流体流路１１が形成され、該継手本体１は、その流体流路１１を貫通させた主体部１ａの一端側に、口部にフランジを持つガイド部材１ｂを圧嵌することにより、その内部における上記流体流路１１の周囲に拡径凹部１２が形成され、該拡径凹部１２の内奥側をシール部材３の収容部にすると共に、口部側をチューブ保持機構２の収容部とし、それらの収容部と上記流体流路１１との間にチューブＴの挿入域１３を設けている。また、この継手本体１の他端側外周には、流体圧機器へ取り付けるための取付ねじ１５が設けられている。【００１４】
上記拡径凹部１２内に収容された弾性シール部材３は、上記チューブ保持機構２と拡径凹部１２内の段部１２ａとの間に配設したもので、このシール部材３は、流体流路１１の周囲におけるチューブＴの挿入域１３に挿入したチューブの外周に接して、その周面と拡径凹部１２の内面との間をシールするものである。このシールを確実に行うことにより、チューブＴ内と継手本体１内の流体流路１１との間の漏れをなくすことができる。【００１５】
一方、上記チューブ保持機構２は、挿入したチューブＴの外面に係止する複数の係止爪２４を備えた金属製のチャック２１によって構成している。該チャック２１は、図２及び図３に示すように、金属板製の筒状部材の一端側に複数のスリット２２を設けることにより、径方向の弾性を持つ複数の弾片２３が円周に配置されたものとして形成され、それらの弾片２３の先端をチューブ挿入域１３の内奥側において内側に屈曲させることにより、該チューブ挿入域１３内に突出させた上記係止爪２４とし、また、チューブＴを該チャック２１から離脱させるためのリリースブッシュ５を該チャック２１内に挿入したときに、そのリリースブッシュ５の先端部が当接してチューブＴの外周面に食い込んでいる各係止爪２４を押し広げるための傾斜押圧部２５が、上記各弾片２３に形成されている。なお、上記チャック２１は、必要に応じてそれを図示しないコレットに保持させておくこともできる。【００１６】
継手本体１に挿入したチューブＴの先端を外嵌させることによってその先端部を受ける受け筒６は、流体流路１１とチューブ挿入域１３とを区画するもので、金属筒の先端を部分的に外側に屈曲させてフランジ部分６ａを形成することにより構成され、そのフランジ部分６ａをチューブ挿入域１３の内端に当接させて、該フランジ部分６ａの周辺で継手本体１の主体部１ａ内に弾性的に保持させている。この受け筒６は、それに外嵌させたチューブＴの先端の形状を安定化させると共に、少なくとも上記チャック２１の係止爪２４に対向する位置に存在して、係止爪２４によるチューブＴの径方向の押圧力を受け、該係止爪２４の係止を安定化させるものである。【００１７】
上記継手本体１内におけるチューブ挿入域１３とチャック２１との間に挿入した状態に保持されている上記リリースブッシュ５は、チューブＴの周囲のチャック２１内への押入により該チューブに対するチャック２１の係止を解除して該チューブを抜脱可能にするものであるが、このリリースブッシュ５によるチューブの抜脱が誤って行われ、あるいは、みだりに行われるのを抑制するため、この第１実施例では、該リリースブッシュ５を継手本体１外に突出しない範囲内において設けている。即ち、該リリースブッシュ５は、継手本体１内のチューブ挿入域１３の外周に位置する筒部５１によって構成され、その内端側先端部の外周に、先端側を小径化したテーパ面５２を形成して、該テーパ面５２でチャック２１の傾斜押圧部２５を押圧することにより、チューブＴの外周面に食い込んでいる係止爪２４を押し広げ、チューブＴを抜脱可能にするものであるが、上述した筒部５１を継手本体１から外部に突出しないものとし、継手本体１内への挿入状態においては、その筒部５１の周囲の段部５３をチャック２１の上部の折返し部に係合させ、継手本体１から抜け出さないように構成している。【００１８】
そして、上記リリースブッシュ５によるチャック２１の係止解除のため、図４（ａ）または図４（ｂ）に示すような、該リリースブッシュ５をチャック２１の係止解除位置、つまり、リリースブッシュ５のテーパ面５２でチャック２１の傾斜押圧部２５を押圧して、チューブＴに食い込んでいる係止爪２４を押し広げる位置まで押入することが可能な筒状の押圧工具７が付属品として別設される。【００１９】
図４（ａ）に示すリリースブッシュ５の押圧工具７は、金属または合成樹脂により形成されて円筒状に接合できる一対の半円筒状の工具片７１からなり、それらをチューブＴに被せるようにして合わせることにより円筒状とし、その端面で継手本体１の端部開口を通してリリースブッシュ５の端面を押圧するようにしたものであり、また、図４（ｂ）に示す押圧工具７は、合成樹脂により一対の半円筒状部片７２を弾性的に変形する薄肉部７２ａで連接することにより、該薄肉部７２ａで半円筒状部片７２を開いてチューブＴに外嵌できる工具としたものである。
なお、上記押圧工具７は、上述したものに限るものではなく、例えば弾性的に変形する薄板を丸めたものとして構成したり、半円筒以上ではあるが完全に円筒状にはならないものを弾性的に変形させてチューブＴに外嵌可能にするなど、要は上記リリースブッシュ５を押入するのに適した各種構造のものを用いることができる。【００２０】
上記構成を有する管継手は、図１の状態において、チューブＴをチューブ挿入域１３に挿入すると、チャック２１の係止爪２４がそのチューブＴの表面に食い込むので、チューブＴがその挿入状態に保持される。挿入されているチューブＴを取り外すには、上述したリリースブッシュ５の押圧工具７を用い、それをチューブＴに外嵌させたうえでその端面でリリースブッシュ５の外端を押圧し、それをチャック２１の係止解除位置まで押入すればよく、それによってチューブＴに食い込んでいる係止爪２４を押し広げれば、チューブＴを抜き出すことができる。なお、上記押圧工具７を用いなければ、リリースブッシュ５を継手本体１内に押し込むことができず、チューブＴに対するチャック２１の係止が解除されることはない。【００２１】
図５は本発明に係る管継手の第２実施例を示し、図６はその管継手におけるリリースブッシュの構成を、図７は同実施例において用いる押圧工具の一例を示している。
この第２実施例の管継手は、第１実施例の管継手に比してリリースブッシュ５及び押圧工具７の構成が異なるだけであるため、その他の構成及び作用については、重複を避けるためにそれらの説明を省略する。【００２２】
この第２実施例におけるリリースブッシュ５は、図５及び図６から分かるように、第１実施例と同様なテーパ面５２を形成した筒部５１を備え、その筒部５１の周囲にチャック２１の上部の折返し部に係合する段部５３を設けているが、第１実施例とは異なり、該リリースブッシュ５に継手本体１外に突出する凸部５４を設けている。上記凸部５４は、図７に示すようなチューブＴに外嵌させるリング状の押圧工具７により、リリースブッシュ５をチャック２１の係止解除位置まで継手本体１内に押入可能にするものであるが、押圧端面の面積が小さく、あるいは尖鋭、極薄等であって、手指では直接操作できないものとして構成される。上記凸部５４の継手本体１からの突出長さは、リリースブッシュ５の押入によりチャック２１の係止爪２４のチューブＴに対する係止を外すに十分なものであることが必要であるが、上記係止を外すに必要な最小限の長さにすることが望まれる。【００２３】
上記凸部５４に係止してリリースブッシュ５をチャック２１の係止解除位置まで押入する押圧工具７としては、図７に示すように、円環状に接合できる一対の半円環状のリング片７３を付属品として別設し、その一対でチューブＴを囲むことによりリング状として、その端面で継手本体から突出するリリースブッシュ５の凸部５４を押圧するようにしたものが適している。この一対のリング片７３は、上記凸部５４の押圧を容易にするため、その一対でチューブＴを囲んだときに、チューブＴを若干押圧変形させてリング片７３を凸部５４の先端に確実に当接させるため、２分割よりも僅かに小さいものとしておくのが望ましい。
この第２実施例のその他の構成及び作用は、上記第１実施例と変わるところがない。【００２４】
本発明に係る管継手の第３実施例は、上記第１実施例において、リリースブッシュ５を備えないものとし、図８に示すようなリリースブッシュ５５が、継手本体１に挿脱可能な付属品として別設される。このリリースブッシュ５５は、継手本体１から操作部分が外部に突出する長さに形成したものである。なお、この点を除く管継手の構成及び作用は、第１実施例の場合と変わるところがないので、それらの説明は省略する。【００２５】
上記リリースブッシュ５５は、チャック２１内に挿入したチューブＴの周囲への押入により該チューブＴに対するチャック２１の係止を解除し、該チューブＴを抜脱可能にするものであって、図８に示すように、円筒状に接合できる一対の半円筒状のリリースブッシュ片５５ａによって構成される。管継手に接続したチューブＴの抜脱は、それらのリリースブッシュ片５５ａを継手本体１外においてチューブＴを覆うように外嵌させたうえで、チャック２１の係止解除位置まで押入し、係止爪２４によるチューブＴの係止を解除すればよい。このリリースブッシュ５５は、継手本体１に挿脱可能なものであり、通常は継手本体１に装着しておかないので、誤ってチューブＴを外してしまう可能性はない。
【図１】
0005417589.tif 000002
【図２】
0005417589.tif 000003
【図３】
0005417589.tif 000004
【図４（ａ）】
0005417589.tif 000005
【図４（ｂ）】
0005417589.tif 000006
【図５】
0005417589.tif 000007
【図６】
0005417589.tif 000008
【図７】
0005417589.tif 000009
【図８】
0005417589.tif 000010